(57)【要約】【課題】複数クラスのリポタンパク質に相当するピークが混合して現れるクロマトグラムについて、リポタンパク質に含まれる成分をクラス毎に定量する。【解決手段】試料に含まれる複数クラスのリポタンパク質を液体クロマトグラフィーで分離し、分離したリポタンパク質に含まれる成分を測定する第１工程と、上記第１工程の結果として得られたクロマトグラムをリポタンパク質のクラス毎に分割し、リポタンパク質に含まれる成分をクラス毎に定量する第２工程とを含む。【選択図】  図１
2004264051.tif 000002
【特許請求の範囲】
【請求項１】
試料に含まれる複数クラスのリポタンパク質を液体クロマトグラフィーで分離し、分離したリポタンパク質に含まれる成分を測定する第１工程と、
上記第１工程の結果として得られたクロマトグラムをリポタンパク質のクラス毎に分割し、リポタンパク質に含まれる成分をクラス毎に定量する第２工程と、
を含むリポタンパク質の分析方法。
【請求項２】
上記第１工程の結果として、複数のクラスに対応する混合ピークを有するクロマトグラムが得られた場合には、
上記複数のクラスのうち少なくも１クラスに含まれる上記成分について予め定量した結果を基に、上記混合ピークを各クラスに対応するように分割することを特徴とする請求項１記載のリポタンパク質の分析方法。
【請求項３】
上記混合ピークに対応する複数のクラスは、超低密度リポタンパク質クラス及び低密度リポタンパク質クラスであり、上記第２工程では、超低密度リポタンパク質クラス及び低密度リポタンパク質クラスに対応する混合ピークを、低密度リポタンパク質クラスに含まれる成分について予め定量した結果を基に超低密度リポタンパク質クラス及び低密度リポタンパク質クラスに対応するように分割することを特徴とする請求項２記載のリポタンパク質の分析方法。
【請求項４】
上記第１工程の結果として、クラスに対応するピークを有しないクロマトグラムが得られた場合には、
標準試料を用いた溶出時間と平均粒子サイズとの関係を示す検量線に基づいて、当該クラスについて平均粒子サイズから溶出時間を確定し、確定した溶出時間によって区切られた領域を当該クラスに対応する領域とし、当該クラスのリポタンパク質に含まれる成分を定量することを特徴とする請求項１記載のリポタンパク質の分析方法。
【請求項５】
上記複数のクラスは、カイロミクロンクラス、超低密度リポタンパク質クラス、低密度リポタンパク質クラス及び高密度リポタンパク質クラスからなる群から選ばれる少なくとも２以上のクラスであることを特徴とする請求項４記載のリポタンパク質の分析方法。
【請求項６】
上記第１工程では、液体クロマトグラフィーの溶出液を複数の経路に分配し、各経路においてそれぞれ異なる成分分析を行い、各成分分析の結果に基づいて複数のクロマトグラムを得ることを特徴とする請求項１乃至５いずれか１項記載のリポタンパク質の分析方法。
【請求項７】
上記第１工程では、液体クロマトグラフィーの溶出液を、コレステロールを測定する第１の経路及びトリグリセリドを測定する第２の経路に分配し、当該第１の経路及び第２の経路においてそれぞれコレステロールに関するクロマトグラム及びトリグリセリドに関するクロマトグラムを得ることを特徴とする請求項１乃至５いずれか１項記載のリポタンパク質の分析方法。
【請求項８】
上記クロマトグラムから、カイロミクロンの溶出時間より前に位置するノイズ及び溶血に起因するピークを除去することを特徴とする請求項１乃至５いずれか１項記載のリポタンパク質の分析方法。
【請求項９】
上記リポタンパク質に含まれる成分としてトリグリセリドを測定する場合には、得られたクロマトグラムから遊離グリセロールに対応するピークを除去することを特徴とする請求項１乃至５いずれか１項記載のリポタンパク質の分析方法。
【請求項１０】
試料に含まれる複数クラスのリポタンパク質を液体クロマトグラフィーで分離し、分離したリポタンパク質に含まれる成分を測定して得られたクロマトグラムに基づいて、複数のクラスに対応する複数のピークが混合した混合ピークを分割する第１ステップと、
リポタンパク質に含まれる成分を、リポタンパク質のクラス毎に定量する第２ステップと
を含むリポタンパク質の分析プログラム。
【請求項１１】
上記第１ステップで２クラスに相当する混合ピークを分割する際には、
当該混合ピークの高さ及び半値幅を用いて算出した混合ピークの幅方向の半分に相当する面積に、一方クラスのリポタンパク質に含まれる成分を個別に定量したクロマトグラムに基づいて算出した値を乗算して、当該混合ピークの幅方向の半分に相当する補正面積を算出し、当該混合ピークにおける頂点で幅方向に分割したピーク半面積と上記補正面積とを用いて、リポタンパク質に含まれる成分をクラス毎に定量することを特徴とする請求項１０記載のリポタンパク質の分析プログラム。
【請求項１２】
上記クロマトグラムに所定のクラスに相当するピークが検出されない場合、当該クロマトグラムを当該所定のクラスの溶出時間を基準として、当該所定のクラスのリポタンパク質に含まれる成分を、リポタンパク質のクラス毎に定量する第３ステップを更に含むことを特徴とする請求項１０記載のリポタンパク質の分析プログラム。
【請求項１３】
上記リポタンパク質の溶出時間は、標準試料を用いて作成したリポタンパク質の平均粒径と溶出時間との関係を示す検量線に基づいて規定したものであることを特徴とする請求項１２記載のリポタンパク質の分析プログラム。
【請求項１４】
上記リポタンパク質に含まれる成分がトリグリセリド及びコレステロールであることを特徴とする請求項１０記載のリポタンパク質の分析プログラム。
【請求項１５】
試料に含まれる複数クラスのリポタンパク質を液体クロマトグラフィーで分離し、分離したリポタンパク質に含まれる成分を測定して得られたクロマトグラムに基づいて、複数のクラスに対応する複数のピークが混合した混合ピークを分割する第１ステップと、リポタンパク質に含まれる成分を、リポタンパク質のクラス毎に定量する第２ステップとを含む分析プログラムを備えるリポタンパク質の分析装置。
【請求項１６】
粒子サイズに依存した分離能を有するカラムと、当該カラムからの溶出液中のリポタンパク質に含まれる成分を検出する検出部と、当該検出部からの出力信号を演算処理する処理部と、上記分析プログラムに従って当該処理部における演算処理を制御する制御部とを、更に備えることを特徴とする請求項１５記載のリポタンパク質の分析装置。
【請求項１７】
上記カラムからの溶出液を複数の経路に分配する分配部を更に備え、
上記検出部は当該分配部により分配された各系路上にそれぞれ配設され、各経路でそれぞれ異なる成分を検出し、
上記分析プログラムによりリポタンパク質に含まれる複数の成分をクラス毎に定量することを特徴とする請求項１５記載のリポタンパク質の分析装置。
【発明の詳細な説明】
【０００１】
【発明の属する技術分野】
本発明は、液体クロマトグラフィーを用いて試料中に含まれる超低比重リポタンパク質及び低比重リポタンパク質等のリポタンパク質を分析する分析方法及び分析プログラム並びに分析装置に関する。
【０００２】
【従来の技術】
血中のリポタンパク質は、コレステロール、中性脂肪（トリグリセリド）、リン脂質などの脂質とアポリポタンパク質が会合した、脂質とタンパク質の複合体であり、アポリポタンパク質の種類や脂質の含有比率などによっていくつかのクラスがある。血中のリポタンパク質は単一のものではなくリポタンパク質のクラスよって機能が異なるため、血清リポタンパクを分析する上で血中の総リポタンパク質を測定するだけでなく、リポタンパク質をクラス毎に分離し、分離した各クラスに含まれるリポタンパク質を定量することが、虚血性心疾患、肝疾患、糖尿病などの疾病と脂質代謝異常との相関の解明に重要である。
【０００３】
従来、リポタンパク質の分析方法としては、リポタンパク質の比重の差を利用して分離する超遠心法、リポタンパク質の表面電荷の違いを利用して分離する電気泳動法、コロイドの安定性やヘパリンとＣａＣｌ２或いはデキストラン硫酸があるリポタンパク質と不溶性の沈殿物を形成することを利用した結合沈殿法、リポタンパク質分子の大きさの違いを利用して分離する液体クロマトグラフィー法などがある。
【０００４】
一方、本発明者は、先の出願において、高速液体クロマトグラフィーによって分離されたリポタンパク質に酵素試薬を用いてコレステロールやトリグリセリドに特異的なリポタンパクプロファイルを得る手法を開発した（特許文献１参照）。この方法によれば、例えば、血清試料に含まれるリポタンパク質の分析、並びにコレステロール及びトリグリセリドの定量を、ある程度の確度で迅速に行うことができる。
【０００５】
【特許文献１】
特開平８−３２０３１３号公報
【０００６】
【発明が解決しようとする課題】
しかしながら、特許文献１に開示された方法では、異なるカテゴリーに属する複数クラスのリポタンパク質が同一のピーク（以下、これを「混合ピーク」と称する）をなした場合、これら複数クラスのリポタンパク質に含まれるコレステロール及びトリグリセリドを、それぞれクラス毎に明確に解析することが困難であるといった問題があった。
【０００７】
そこで、本発明は、上述したような実状に鑑み、複数クラスのリポタンパク質に相当するピークが混合して現れるクロマトグラムについて、リポタンパク質に含まれる成分をクラス毎に定量することができる血清リポタンパク質の分析方法及び分析プログラムを提供することを目的とする。
【０００８】
【課題を解決するための手段】
上述した目的を達成した本発明は以下を包含する。
（１）試料に含まれる複数クラスのリポタンパク質を液体クロマトグラフィーで分離し、分離したリポタンパク質に含まれる成分を測定する第１工程と、上記第１工程の結果として得られたクロマトグラムをリポタンパク質のクラス毎に分割し、リポタンパク質に含まれる成分をクラス毎に定量する第２工程とを含むリポタンパク質の分析方法。
【０００９】
（２）  上記第１工程の結果として、複数のクラスに対応する混合ピークを有するクロマトグラムが得られた場合には、上記複数のクラスのうち少なくも１クラスに含まれる上記成分について予め定量した結果を基に、上記混合ピークを各クラスに対応するように分割することを特徴とする（１）記載のリポタンパク質の分析方法。
【００１０】
（３）  上記混合ピークに対応する複数のクラスは、超低密度リポタンパク質クラス及び低密度リポタンパク質クラスであり、上記第２工程では、超低密度リポタンパク質クラス及び低密度リポタンパク質クラスに対応する混合ピークを、低密度リポタンパク質クラスに含まれる成分について予め定量した結果を基に超低密度リポタンパク質クラス及び低密度リポタンパク質クラスに対応するように分割することを特徴とする（２）記載のリポタンパク質の分析方法。
【００１１】
（４）  上記第１工程の結果として、クラスに対応するピークを有しないクロマトグラムが得られた場合には、標準試料を用いた溶出時間と平均粒子サイズとの関係を示す検量線に基づいて、当該クラスについて平均粒子サイズから溶出時間を確定し、確定した溶出時間によって区切られた領域を当該クラスに対応する領域とし、当該クラスのリポタンパク質に含まれる成分を定量することを特徴とする（１）記載のリポタンパク質の分析方法。
【００１２】
（５）  上記複数のクラスは、カイロミクロンクラス、超低密度リポタンパク質クラス、低密度リポタンパク質クラス及び高密度リポタンパク質クラスからなる群から選ばれる少なくとも２以上のクラスであることを特徴とする（４）記載のリポタンパク質の分析方法。
【００１３】
（６）  上記第１工程では、液体クロマトグラフィーの溶出液を複数の経路に分配し、各経路においてそれぞれ異なる成分分析を行い、各成分分析の結果に基づいて複数のクロマトグラムを得ることを特徴とする（１）乃至（５）いずれか１記載のリポタンパク質の分析方法。
【００１４】
（７）  上記第１工程では、液体クロマトグラフィーの溶出液を、コレステロールを測定する第１の経路及びトリグリセリドを測定する第２の経路に分配し、当該第１の経路及び第２の経路においてそれぞれコレステロールに関するクロマトグラム及びトリグリセリドに関するクロマトグラムを得ることを特徴とする（１）乃至（５）いずれか１記載のリポタンパク質の分析方法。
【００１５】
（８）  上記クロマトグラムから、カイロミクロンの溶出時間より前に位置するノイズ及び溶血に起因するピークを除去することを特徴とする（１）乃至（５）いずれか１記載のリポタンパク質の分析方法。
【００１６】
（９）  上記リポタンパク質に含まれる成分としてトリグリセリドを測定する場合には、得られたクロマトグラムから遊離グリセロールに対応するピークを除去することを特徴とする（１）乃至（５）いずれか１記載のリポタンパク質の分析方法。
【００１７】
（１０）  試料に含まれる複数クラスのリポタンパク質を液体クロマトグラフィーで分離し、分離したリポタンパク質に含まれる成分を測定して得られたクロマトグラムに基づいて、複数のクラスに対応する複数のピークが混合した混合ピークを分割する第１ステップと、リポタンパク質に含まれる成分を、リポタンパク質のクラス毎に定量する第２ステップとを含むリポタンパク質の分析プログラム。
【００１８】
（１１）  上記第１ステップで２クラスに相当する混合ピークを分割する際には、当該混合ピークの高さ及び半値幅を用いて算出した混合ピークの幅方向の半分に相当する面積に、一方クラスのリポタンパク質に含まれる成分を個別に定量したクロマトグラムに基づいて算出した値を乗算して、当該混合ピークの幅方向の半分に相当する補正面積を算出し、当該混合ピークにおける頂点で幅方向に分割したピーク半面積と上記補正面積とを用いて、リポタンパク質に含まれる成分をクラス毎に定量することを特徴とする（１０）記載のリポタンパク質の分析プログラム。
【００１９】
（１２）  上記クロマトグラムに所定のクラスに相当するピークが検出されない場合、当該クロマトグラムを当該所定のクラスの溶出時間を基準として、当該所定のクラスのリポタンパク質に含まれる成分を、リポタンパク質のクラス毎に定量する第３ステップを更に含むことを特徴とする（１０）記載のリポタンパク質の分析プログラム。
【００２０】
（１３）  上記リポタンパク質の溶出時間は、標準試料を用いて作成したリポタンパク質の平均粒径と溶出時間との関係を示す検量線に基づいて規定したものであることを特徴とする（１２）記載のリポタンパク質の分析プログラム。
【００２１】
（１４）  上記リポタンパク質に含まれる成分がトリグリセリド及びコレステロールであることを特徴とする（１０）記載のリポタンパク質の分析プログラム。
【００２２】
（１５）  試料に含まれる複数クラスのリポタンパク質を液体クロマトグラフィーで分離し、分離したリポタンパク質に含まれる成分を測定して得られたクロマトグラムに基づいて、複数のクラスに対応する複数のピークが混合した混合ピークを分割する第１ステップと、リポタンパク質に含まれる成分を、リポタンパク質のクラス毎に定量する第２ステップとを含む分析プログラムを備えるリポタンパク質の分析装置。
【００２３】
（１６）  粒子サイズに依存した分離能を有するカラムと、当該カラムからの溶出液中のリポタンパク質に含まれる成分を検出する検出部と、当該検出部からの出力信号を演算処理する処理部と、上記分析プログラムに従って当該処理部における演算処理を制御する制御部とを、更に備えることを特徴とする（１６）記載のリポタンパク質の分析装置。
【００２４】
（１７）  上記カラムからの溶出液を複数の経路に分配する分配部を更に備え、
上記検出部は当該分配部により分配された各系路上にそれぞれ配設され、各経路でそれぞれ異なる成分を検出し、上記分析プログラムによりリポタンパク質に含まれる複数の成分をクラス毎に定量することを特徴とする（１５）記載のリポタンパク質の分析装置。
【００２５】
【発明の実施の形態】
以下、本発明に係るリポタンパク質の分析方法及び分析プログラムについて、図面を参照して詳細に説明する。
【００２６】
本分析方法及びプログラムが適用されるリポタンパク質分析装置は、例えば、図１に示すように、血清試料に含まれるリポタンパク質成分を分離するためのカラム１と、カラム１から溶出されたリポタンパク質を含む溶離液を２分配するスプリッター２と、スプリッター２によって分配された第１流路３及び第２流路４と、第１流路３に配置されたコレステロール（以下「ＴＣ」と称する）反応部５と、第２流路４に配置されたトリグリセリド（以下「ＴＧ」と称する）反応部６と、第１流路３におけるＴＣ反応部５の下流に配置されたＴＣ検出部７と、第２流路４におけるＴＧ反応部６の下流に配置されたＴＧ検出部８と、本装置の動作制御及びＴＣ検出部７並びにＴＧ反応部８から信号が入力されるシステムコントローラー９と、システムコントローラー９に接続された演算装置１０とを備えている。
【００２７】
また、リポタンパク質分析装置は、血清試料をカラム１に供給するサンプラー１１と、カラム１に溶離液を供給するための第１ポンプ１２と、第１ポンプ１２によってカラム１に供給する溶離液から気体を除去するデガッサー１３とを備えている。
【００２８】
リポタンパク質分析装置においてカラム１としては、特に限定されないが、ゲルろ過用充填剤を充填してなるカラムを用いることが特に好ましい。特に、カラム１としては、８００〜１２００オングストロームの平均細孔径の充填剤を有するものを例示できる。平均細孔径が８００オングストローム未満の充填剤ではＣＭやＶＬＤＬなどの分子サイズの大きいリポタンパク質は細孔内に入り難くなり、一方、平均細孔径が１２００オングストロームを超える充填剤ではＬＤＬやＨＤＬなどの分子サイズの小さいリポタンパク質の分離が悪化するため、前述の通り平均細孔径が８００〜１２００オングストロームのものが好ましい。中でも平均細孔径が９００〜１１００オングストロームの充填剤は、分離能に優れるため、最終的により精度の高いリポタンパク質の分析を行うことを可能とする。
【００２９】
また、充填剤としては、液体クロマトグラフィーでの使用に充分耐える機械的強度を有するものを選択する必要がある。このような充填剤は、例えば、シリカゲル、ポリビニルアルコール、ポリヒドロキシメタクリレート及びその他の親水性樹脂を基材とするもの（例えばＴＳＫｇｅｌ  Ｌｉｐｏｐｒｏｐａｋ、商品名、東ソー（株）製）を一例として例示することできる。
【００３０】
溶離液としては、リン酸緩衝液、トリス緩衝液、ビスートリス緩衝液等を例示できるが、リポタンパク質を分離できるものであれば特に制限はない。緩衝液の濃度としては２０〜２００ｍＭ、特に好ましくは５０〜１００ｍＭの範囲が良い。緩衝液の濃度が２０ｍＭ未満では緩衝能が小さく、２００ｍＭを超えると後述の酵素試薬とＴＣ又はＴＧの反応が阻害される恐れが生じるからである。緩衝液のｐＨは、５〜９、特に好ましくは７〜８である。緩衝液のｐＨが５未満、あるいはｐＨが９を超えると、前記同様、酵素試薬との反応が阻害される恐れが生じるからである。しかし、ＴＣ及び／又はＴＧの測定を、酵素を用いないで行う場合等はこの限りではない。
【００３１】
ＴＣ反応部５は、カラム１から溶出されたリポタンパク質を含む溶離液に含まれるＴＣを定量するための試薬を備えるＴＣ用試薬タンク１４と第２ポンプ１５を介して連結されている。ここで、ＴＣを定量するための試薬としては、特に限定されないが、例えば、コレステロールエステラーゼ、コレステロールオキシダーゼ、パーオキシダーゼなどの酵素と、Ｎ−エチル−Ｎ−（３−メチルフェニル）−Ｎ’−  サクシニルエチレンジアミン、４−アミノアンチピリン、Ｎ−エチル−Ｎ−（３−スルホプロピル）−ｍ−アニシジンなどの色素とを組み合わせた酵素−色素試薬を用いることができる。試薬としては、例えば、市販のデタミナーＬ  ＴＣＩＩ（協和メデックス株式会社）、ＬタイプＣＨＯ・Ｈ（和光純薬工業株式会社）試薬を好適に用いることができる。なお、これらの試薬は、ＴＣと反応して、蛍光検出器や紫外可視検出器などの分光器で検出可能な蛍光や吸収を有する反応生成物を与える。
【００３２】
ＴＧ反応部６は、カラム１から溶出されたリポタンパク質を含む溶離液に含まれるＴＧを定量するための試薬を備えるＴＣ用試薬タンク１６と第２ポンプ１５を介して連結されている。ここで、ＴＧを定量するための試薬としては、特に限定されないが、例えば、アスコルビン酸オキシダーゼ、グリセロールキナーゼ、グリセロール−３リン酸オキシダーゼ、リポプロテインリパーゼ及びパーオキシダーゼ等の酵素と、キノン系発色色素等の色素とを組み合わせた酵素−色素試薬を用いることができる。キノン系発色色素としては、Ｎ−エチル−Ｎ−（３−メチルフェニル）−Ｎ’−サクシニルエチレンジアミン又はＮ−エチル−Ｎ−（３−スルホプロピル）−ｍ−アニシジンと４−アンチアミノピリンの酸化縮合体が挙げられる。試薬としては、例えば、市販のデタミナーＬ  ＴＧＩＩ（協和メデックス株式会社）、ＬタイプＴＧ・Ｈ（和光純薬工業株式会社）試薬を好適に用いることができる。
【００３３】
なお、これら、ＴＣ反応部５及びＴＧ反応部６は、上述した試薬とＴＣ又はＴＧとの反応温度を制御するための反応コイルをそれぞれ備えている。ＴＣ反応部５及びＴＧ反応部６において、上述した試薬とＴＣ又はＴＧとの反応温度は、３５〜５０℃、好ましくは４５〜５０℃とする。反応温度が３５℃未満では反応が不十分になりやすく、また、５０℃を超えると反応中に酵素が劣化する恐れが生じるからある。
【００３４】
ＴＣ検出部７は、ＴＣ反応部５でＴＣと試薬とが反応して生成した反応生成物の吸光度を検出するための、例えば紫外可視光検出器を備えている。また、ＴＧ検出器８は、ＴＧ反応部６でＴＧと試薬とが反応して生成した反応生成物の吸光度を検出するための、例えば紫外可視光検出器を備えている。例えば、上述した試薬としてキノン系発色色素を用いた場合、紫外可視検出器の測定波長は、５４０〜５６０ｎｍとすれば良い。
【００３５】
システムコントローラー９は、ＴＣ検出部７及びＴＧ検出部８からの出力信号が入力され、この信号に基づいてＴＣに関するクロマトグラム及びＴＧに関するクロマトグラムを結果として出力する機能を備えている。システムコントローラー９から出力されるクロマトグラムとしては、例えば、図２Ａに示すように、横軸を溶出時間（ｍｉｎ）とし、縦軸を検出値（ｍＶ）として、ＴＣに関するクロマトグラムとＴＧに関するクロマトグラムとを重ねて表示することができる。
【００３６】
演算装置１０としては、例えば、後述する分析プログラムをインストールしたコンピュータを使用することができる。演算装置１０は、システムコントローラー９と接続されており、システムコントローラー９から出力されるクロマトグラムを分析プログラムによってデータ処理し、血清試料に含まれるリポタンパク質のクラス毎にＴＣ量及びＴＧ量を算出する機能を有する。なお、この演算装置１０は、インターネット、ＬＡＮ或いはイントラネット等の情報通信回線網を介してシステムコントローラー９と接続されていても良い。
【００３７】
上述したリポタンパク質分析装置によれば、先ず、カラム１によって粒子サイズに依存して各種リポタンパク質を分離し、その後、カラム１から溶出された溶出液に含まれるＴＣ及びＴＧを定量している。したがって、リポタンパク質分析装置によれば、カラム１の分離能に依存して、リポタンパク質のクラス毎にＴＣ及びＴＧを定量することができる。なお、リポタンパク質は、その粒子の大きさ、水和密度、及び電気泳動度などの性質の違いにより幾つかのクラスに分類されており、基本的には、粒子に含まれるタンパク質と脂質との比率によって規定される水和密度に従い、軽いものから、ＣＭ（カイロミクロン）、ＶＬＤＬ（超低密度リポタンパク質：ｄ  ＜１．００６  ｋｇ／Ｌ）、ＬＤＬ（低密度リポタンパク質：１．００６  ｋｇ／Ｌ＜ｄ  ＜１．０６３  ｋｇ／Ｌ）、ＨＤＬ（高密度リポタンパク質：１．０６３  ｋｇ／Ｌ＜ｄ  ＜１．２１０  ｋｇ／Ｌ）に分類されている。
【００３８】
しかしながら、リポタンパク質分析装置は、カラム１の分離能によっては複数のクラスに対応するピークが混合した混合ピークとしてクロマトグラムを出力する場合がある。例えば、東ソー社製の商品名「ＴＳＫｇｅｌ  ＬｉｐｏｐｒｏｐａｋＸＬ」を用いた場合には図２Ａに示すようなクロマトグラムを出力する。図２Ａに示したクロマトグラムは、ＶＬＤＬに対応するピークとＬＤＬに対応するピークとが重なって表示されている。この場合、ＶＬＤＬに含まれるＴＣ及びＴＧと、ＬＤＬに含まれるＴＣ及びＴＧとを、図２Ａから直接的に定量することは不可能である。
【００３９】
そこで、リポタンパク質分析装置においては、システムコントローラー９から出力されるクロマトグラムを分析プログラムによってデータ処理することで、ＶＬＤＬに含まれるＴＣ及びＴＧと、ＬＤＬに含まれるＴＣ及びＴＧとを定量する。
【００４０】
以下、分析プログラムについて説明する。なお、以下においては、図２Ａに示したクロマトグラムのように、ＶＬＤＬに対応するピークとＬＤＬに対応するピークとの混合ピークが存在する場合について説明する。
【００４１】
先ず、分析プログラムでは、システムコントローラー９からの出力に基づいて、下記式により基準面積（Ｇａｕｓｓ）を算出する。先ず、ＴＣに関するクロマトグラムにおける混合ピークの溶出時間［ｍｉｎ］をｔｃＴとし、ＴＧに関するクロマトグラムにおける混合ピークの溶出時間［ｍｉｎ］をｔｇＴとし、標準試料を用いた時のクロマトグラムにおいて測定されたＬＤＬに対応するピーク（必ず存在する）の溶出時間［ｍｉｎ］をＳｔｄＴとし、これらｔｃＴ、ｔｇＴ及びＳｔｄＴの中で、最も右に検出されたもの（溶出時間が遅いもの）をＴ［ｍｉｎ］とする。そして、ＴＣに関するクロマトグラム及びＴＧに関するクロマトグラムそれぞれにおいて、Ｔ［ｍｉｎ］のときに検出されている高さをＨ［ｍＶ］とする。
【００４２】
また、ＴＣに関するクロマトグラムおける混合ピークの半値幅［ｓｅｃ］をｔｃＷとし、ＴＧに関するクロマトグラムおける混合ピークの半値幅［ｓｅｃ］をｔｇＷとし、標準試料を用いた時のクロマトグラムにおいて測定されたＬＤＬに対応するピークの半値幅［ｓｅｃ］をＳｔｄＷとし、これらｔｃＷ、ｔｇＷ及びＳｔｄＷの中で、値の最も小さいもの（最も細い半値幅）をＷ［ｓｅｃ］とする。
【００４３】
これらにより求めたＨ及びＷを用いて、以下の式により基準面積Ｇａｕｓｓ［ｍＶ＊ｓｅｃ］を求める。
Ｇａｕｓｓ［ｍＶ＊ｓｅｃ］  ＝  Ｈ  ×  Ｗ  ／  ２  ×  √（２π）  ×  Ｃｏｎｓ．
【００４４】
上記式においてＣｏｎｓ．は、相関結果をより良いものにするために乗ずる定数である。また、Ｃｏｎｓ．は、具体的に以下のようにして、ＴＣ定量及びＴＧ定量に関してそれぞれ求めることができる。但し、Ｃｏｎｓ．の求め方は以下の方法に限定されるものではない。なお、以下においては、ＴＣ定量に用いるＣｏｎｓ．を求める手法を説明するが、ＴＧ定量に用いるＣｏｎｓ．についても同様の手法である。
【００４５】
先ず、ＶＬＤＬに対応するピークとＬＤＬに対応するピークとがそれぞれ単独のピークとして得られるカラム（例えば、ファルマシア社製のＳｕｐｅｒｏｓｅカラム系）を用いた液体クロマトグラフィーによって、健常者の検体（ｎ＝６６）について、ＴＣ及びＴＧに関するクロマトグラムを得る。得られた各クロマトグラムに基づいて、ＶＬＤＬに含まれるＴＣ濃度（ＶＬＤＬ−Ｃ−Ｓｕｐ）、ＶＬＤＬに含まれるＴＧ濃度（ＶＬＤＬ−ＴＧ−Ｓｕｐ）、ＬＤＬに含まれるＴＣ濃度（ＬＤＬ−Ｃ−Ｓｕｐ）及びＬＤＬに含まれるＴＧ濃度（ＬＤＬ−ＴＧ−Ｓｕｐ）を算出する。
【００４６】
なお、健常者の検体においては、食後の検体でない限り、試料中にＣＭを殆ど含まないことが知られている。また、ファルマシア社製のＳｕｐｅｒｏｓｅカラム系を用いた場合、ＣＭ及びＶＬＤＬがボイドピークとして検出され、ＬＤＬに関するピークは単独のピークとなる。ファルマシア社製のＳｕｐｅｒｏｓｅカラム系として商品名「Ｓｕｐｅｒｏｓｅ  ６ＨＲ」を用いたときのクロマトグラムを図２Ｂに示す。
【００４７】
次に、ＶＬＤＬに対応するピークとＬＤＬに対応するピークとが混合ピークとして検出されるカラムを用いた液体クロマトグラフィーによって、同健常者の検体（ｎ＝６６）について、ＴＣ及びＴＧに関するクロマトグラムを得る。得られた各クロマトグラムに基づいて、混合ピークについて面積分割を行い、ＶＬＤＬに含まれるＴＣ濃度（ＶＬＤＬ−Ｃ−ＴＳＫ）、ＶＬＤＬに含まれるＴＧ濃度（ＶＬＤＬ−ＴＧ−ＴＳＫ）、ＬＤＬに含まれるＴＣ濃度（ＬＤＬ−Ｃ−ＴＳＫ）及びＬＤＬに含まれるＴＧ濃度（ＬＤＬ−ＴＧ−ＴＳＫ）を算出する。
【００４８】
次に、算出したＶＬＤＬ−Ｃ−Ｓｕｐ、ＶＬＤＬ−ＴＧ−Ｓｕｐ、ＬＤＬ−Ｃ−Ｓｕｐ、ＬＤＬ−ＴＧ−Ｓｕｐ、ＶＬＤＬ−Ｃ−ＴＳＫ、ＶＬＤＬ−ＴＧ−ＴＳＫ、ＬＤＬ−Ｃ−ＴＳＫ及びＬＤＬ−ＴＧ−ＴＳＫから求められる値が最適となる値を求める。最適となる値を求める場合には、例えば、ＶＬＤＬ−Ｃ−Ｓｕｐ及びＶＬＤＬ−Ｃ−ＴＳＫの相関といった互いに対応する濃度間の相関だけでなく、ＶＬＤＬ−Ｃ−Ｓｕｐ／ＬＤＬ−Ｃ−Ｓｕｐの値とＶＬＤＬ−Ｃ−ＴＳＫ／ＬＤＬ−Ｃ−ＴＳＫの値の相関といった分画間の比の相関、ＬＤＬ−Ｃ−Ｓｕｐ／ＬＤＬ−ＴＧ−Ｓｕｐの値とＬＤＬ−Ｃ−ＴＳＫ／ＬＤＬ−ＴＧ−ＴＳＫの値の相関といった分画内における脂質比の相関をも考慮して決定する。
【００４９】
なお、最適となる値を求める際には、ＶＬＤＬに対応するピークとＬＤＬに対応するピークとがそれぞれ単独のピークとして得られるカラムを用いた場合の結果と混合ピークとして得られるカラムを用いた場合の結果との間で最小二乗法を適用した近似直線を作成した。そして、当該近似直線の相関係数ｒが最適となる値を、上記式における、ＴＣ定量に用いるＣｏｎｓ．とする。
【００５０】
次に、分析プログラムでは、基準面積Ｇａｕｓｓを用い、下記の計算により、混合ピークの面積をＬＤＬ及びＶＬＤＬの面積に分割する。
ＬＤＬ面積＝  ＬＤＬｒ  ＋  Ｇａｕｓｓ
ＶＬＤＬ面積＝  ＬＤＬｌ  −  Ｇａｕｓｓ
【００５１】
ここで、ＬＤＬｒとは、混合ピークの面積のうち、Ｔ［ｍｉｎ］よりも右に位置する面積であり、ＬＤＬｌとは、混合ピークの面積のうち、Ｔ［ｍｉｎ］よりも左に位置する面積である。本分析プログラムでは、このようにして、ＶＬＤＬ、及びＬＤＬの面積計算を行い、ＶＬＤＬに含まれるＴＣ量及びＴＧ量、並びにＬＤＬに含まれるＴＣ量及びＴＧ量を算出する。
【００５２】
上述した分析プログラムを用いて、具体的に図３に示した３種類のクロマトグラムについて、各リポタンパク質に含まれるＴＣ及びＴＧを定量した。また、図３において、単独のピークとして得られたリポタンパク質については、いわゆる谷分割法によりピークを特定した。
【００５３】
図３において、（ａ）はサンプル＃０１（野生型マウスから採取した試料）であり、（ｂ）は（ａ）におけるＴＧを示すクロマトグラムを拡大したものであり、（ｃ）はサンプル＃０２（トランスジェニックマウスから採取した試料）であり、（ｄ）は（ｃ）におけるＴＧを示すクロマトグラムを拡大したものであり、（ｅ）はサンプル＃０３（トランスジェニックマウスから採取した血清試料）であり、（ｆ）は（ｅ）におけるＴＧを示すクロマトグラムを拡大したものである。なお、図３は、東ソー社製の商品名「ＴＳＫｇｅｌ  ＬｉｐｏｐｒｏｐａｋＸＬ」を用いた場合のクロマトグラムである。
【００５４】
結果を表１に示す
【表１】
2004264051.tif 000003
【００５５】
表１に示すように、本分析プログラムによって、各リポタンパク質に含まれるＴＣ及びＴＧを定量できることが判る。
【００５６】
一方、ＶＬＤＬとＬＤＬとが混合ピークとして現れるカラム（「ＴＳＫｇｅｌ  ＬｉｐｏｐｒｏｐａｋＸＬ」）で健常者６６名から採取した血清試料を分析した結果と、ＶＬＤＬとＬＤＬとがそれぞれ単独のピークとして現れるカラム（「Ｓｕｐｅｒｏｓｅ  ６ＨＲ」）で分析した結果との相関性を検討した。ＴＳＫｇｅｌ  ＬｉｐｏｐｒｏｐａｋＸＬカラムを用いた分析においては、ＶＬＤＬ及びＬＤＬに含まれるＴＣ及びＴＧを本分析プログラムによって定量し、ＨＤＬに含まれるＴＣ及びＴＧを谷分割法により定量した。また、Ｓｕｐｅｒｏｓｅ  ６ＨＲを用いた分析においては、ＶＬＤＬ、ＬＤＬ及びＨＤＬに含まれるＴＣ及びＴＧを谷分割法により定量した。結果を図４に示す。図４に示す各グラフにおいて、縦軸はＴＳＫｇｅｌ  ＬｉｐｏｐｒｏｐａｋＸＬカラムを用いた分析結果を示し、横軸はＳｕｐｅｒｏｓｅ  ６ＨＲカラムを用いた分析結果を示す。また、図４において、ａ）はＴＣ全量を示し、ｂ）はＶＬＤＬに含まれるＴＣ量を示し、ｃ）はＬＤＬに含まれるＴＣ量を示し、ｄ）はＨＤＬに含まれるＴＣ量を示し、ｅ）はＴＧ全量を示し、ｆ）はＶＬＤＬに含まれるＴＧ量を示し、ｇ）はＬＤＬに含まれるＴＧ量を示し、ｈ）はＨＤＬに含まれるＴＧ量を示している。
【００５７】
図４に示すように、ＴＳＫｇｅｌ  ＬｉｐｏｐｒｏｐａｋＸＬカラムを用いた分析結果と、Ｓｕｐｅｒｏｓｅ  ６ＨＲカラムを用いた分析結果とは、ＴＣ量及びＴＧ量ともに、全てのリポタンパク質について優れた相関性を示している。この結果から、本分析プログラムは、混合ピークを構成する各リポタンパク質に含まれるＴＣ及びＴＧを正確に定量できることが明らかとなった。
【００５８】
一方、本分析プログラムでは、得られたクロマトグラムにおいて所定のリポタンパク質に対応するピークが検出されない場合であっても、以下のようにして、ＣＭ、ＶＬＤＬ、ＬＤＬ及びＨＤＬに含まれるＴＣ及びＴＧを定量することができる。言い換えると、本分析プログラムは、得られたクロマトグラムに、ＣＭに対応するピーク、ＶＬＤＬ及びＬＤＬに対応するピーク、ＨＤＬに対応するピークのいずれかが検出されないと判断したときに、以下の手順で、ピークが検出されなかったリポタンパク質に含まれるＴＣ量及びＴＧ量を算出する。
【００５９】
この場合、予めＣＭ、ＶＬＤＬ、ＬＤＬ及びＨＤＬについて溶出時間を決定しておく。そして、分析プログラムでは、ピークが検出されないと判断したリポタンパク質について、得られたクロマトグラムを溶出時間で区切り、区切られた面積を当該リポタンパク質に含まれるＴＣ量及びＴＧ量として算出する。
【００６０】
具体的に、リポタンパク質毎の溶出時間は、標準試料（協和メデックス社の提供）を用いた検量線を作成することによって決定することができる。一般的に、ＨＰＬＣ法における溶出時間Ｘ［ｍｉｎ］と、その平均粒子サイズＹ［ｎｍ］との間には、以下の関係があることが既に分かっている。
ｌｎ  Ｙ  ＝  ａ  Ｘ  ＋  ｂ
【００６１】
そして、標準試料のＬＤＬｃ及び、ＨＤＬｃの平均粒子サイズを以下のようにして求め、これらＬＤＬｃ及びＨＤＬｃの２点の溶出時間を確定し検量線を作成する。このとき、リポタンパク質の種類とその平均粒子サイズとの関係は、＞８０［ｎｍ］をＣＭとし、３０〜８０［ｎｍ］をＶＬＤＬとし、１６〜３０［ｎｍ］をＬＤＬとし、＜１６［ｎｍ］をＨＤＬとする。また、検量線において、８０［ｎｍ］、３０［ｎｍ］、１６［ｎｍ］にあたる溶出時間をそれぞれ、Ｔｉｍｅ８０、Ｔｉｍｅ３０、Ｔｉｍｅ１６とする。
【００６２】
ここで、標準試料としては、ＶＬＤＬ含量が非常に低いと予測されるヒト健常者（ＴＣ＜２２０，ＴＧ＜５０）プールのコレステロール検出のＬＤＬ時間と幅に近いものが望ましい。例えば、協和メデックスのデタミナーＨＤＬ−Ｃ測定用標準血清（Ｌｏｔ  Ｎｏ．１５２、１５３、１５５、１５７、１５９）などは適している。
【００６３】
標準血清のＬＤＬとＨＤＬサイズを求めるには、サイズ一次標準試料（ラテックスビーズ、Ｍａｇｓｐｈｅｒｅ社）で較正されたカラムを用いて、ＬＤＬとＨＤＬのサイズを求めたプール血清（Ｏｋａｚａｋｉ  Ｒｅｆｅｒｅｎｃｅ  Ｉｎ−ｈｏｕｓｅ  Ｐｏｏｌｅｄ  Ｓｅｒｕｍ  Ｌｏｔ＃９０９２０，  ＣＤＣのＴＣ分析認定書に記載（１９９８年３月５日付け））を一次標準血清として、ＬＤＬとＨＤＬのサイズを求めることができる。
【００６４】
本分析プログラムにおいては、例えば、ＣＭについてピークが検出されないと判断した場合にはクロマトグラムにおけるＴｉｍｅ８０より左側の面積をＣＭに含まれるＴＣ量及びＴＧ量とする。同様に、ＶＬＤＬについてピークが検出されないと判断した場合にはクロマトグラムにおけるＴｉｍｅ８０とＴｉｍｅ３０で挟まれる領域の面積をＶＬＤＬに含まれるＴＣ量及びＴＧ量とする。また、ＬＤＬについてピークが検出されないと判断した場合にはクロマトグラムにおけるＴｉｍｅ３０とＴｉｍｅ１６で挟まれる領域の面積をＬＤＬに含まれるＴＣ量及びＴＧ量とする。さらに、ＨＤＬについてピークが検出されないと判断した場合にはクロマトグラムにおけるＴｉｍｅ１６より右側の面積をＨＤＬに含まれるＴＣ量及びＴＧ量とする。
【００６５】
このように、本分析プログラムにおいては、得られたクロマトグラムにおいて所定のリポタンパク質に対応するピークが検出されない場合であっても、当該リポタンパク質に含まれるＴＣ及びＴＧを定量することができる。
【００６６】
なお、本分析プログラムにおいては、例えば、ＣＭに対応するピークよりも左側にノイズ成分が検出されていたり、ＨＤＬに対応するピークの右側に溶血等のリポタンパク質とは関係のないピークが検出されている場合には、これらのピークの面積は排除するような設定とすることができる。また、本分析プログラムにおいては、ＴＧに関するクロマトグラムに出現する、遊離グリセロールに対応するピークを特定し、遊離グリセロールのピーク面積をリポタンパク質に起因するＴＧの面積から完全に排除することが容易であるため、遊離グリセロール単独のピーク面積を用いることにより、遊離グリセロール濃度及びＴＧ濃度をより正確に測定することも可能である。
【００６７】
これに対して、従来技術である酵素法では、血清試料に含まれるＴＧ全量を定量するに際して遊離グリセロールを除去しなければならず、精度の高いＴＧ定量を容易に行うことはできなかった。これに対して、本分析プログラムによれば、得られたクロマトグラムにおける遊離グリセロールに相当するピークを除去する設定とすることによって、血清試料に含まれるＴＧ全量を容易に定量することができる。
【００６８】
従来技術である酵素法を用いて、遊離グリセロールを除去する操作を行わずにＴＧを定量した場合、結果としては遊離グリセロールの影響を受けた値としてＴＧ量を測定することとなる。本分析プログラムによれば、上述したように遊離グリセロールに相当するピークを特定することができるため、酵素法で遊離グリセロールを除去せずに測定した測定値から遊離グリセロール量を差し引くことで、酵素法の測定結果を正確な値に修正することができる。
【００６９】
図５は、遊離グリセロールを除去する操作を行わずに酵素法によりＴＧを定量した結果と、その結果から本分析プログラムによって特定した遊離グリセロール量を差し引いた修正値とを示している。なお、図５は、遊離グリセロールを血清中に多量に含むマウスのサンプル（ｎ＝２４）を用いたときの結果である。図５からも判るように、遊離グリセロールを除去する操作を行わずに酵素法によりＴＧを定量した結果と、修正値とは優れた相関性を示している。このことから、本分析プログラムは、従来技術である酵素法によるＴＧ定量にも応用できることが判る。
【００７０】
一方、本分析プログラムによれば、リポタンパク質に含まれるリン脂質濃度を測定することもできるが、この際にサンプル中に含まれる遊離コリン濃度についても測定することができる。すなわち、リン脂質に関するクロマトグラムに出現する、遊離コリンに対応するピークを特定し、遊離コリンのピーク面積をリポタンパク質に由来するリン脂質の面積から完全に排除することが容易であるため、遊離コリン単独のピーク面積を用いることにより、遊離コリン濃度及びリン脂質濃度をより正確に測定することも可能である。
【００７１】
これに対して、酵素を用いた従前の方法においては、特に遊離コリンを除去すること無く、サンプルに含まれるリポタンパク質に由来するリン脂質濃度を測定していた。この従前の方法では、例えば、脳脊髄液や動物種から採取したサンプルを測定対象とする場合、特にサンプル中に大量の遊離コリンが含まれるため、遊離コリンの影響を受けた値としてリン脂質濃度を測定していた。
【００７２】
しかしながら、本分析プログラムによれば、上述したように、サンプルに含まれるリポタンパク質に由来するリン脂質と遊離コリンとをより正確に別々に測定することができる。したがって、本分析プログラムは、遊離コリンを大量に含むサンプルを測定対象として、当該サンプルに含まれるリン脂質及び／又は遊離コリンを正確に測定することも可能である。
【００７３】
なお、上述した説明においては、血清試料中のリポタンパク質に含まれるＴＣ及びＴＧを分析するものとしたが、本発明の技術的範囲はこれに限定されるものではない。すなわち、本発明に係るリポタンパク質の分析方法によれば、例えば、血清試料中のリポタンパク質に含まれる遊離コレステロールやリン脂質を分析することもできる。
【００７４】
さらに、図１に示したリポタンパク質分析装置において、スプリッター２を、溶出液を４つの経路に分配するような構成とする或いは、第１流路３及び第２流路４上にそれぞれスプリッター２を配設することで溶出液を合計４つの経路に分配するような構成とすることで、ＴＣ、ＴＧ、遊離コレステロール及びリン脂質を同時に分析することができる。
【００７５】
さらにまた、本発明に係るリポタンパク質の分析方法、血清試料に含まれるリポタンパク質の分析に限定されるものではなく、リポタンパク質を含む試料であれば如何なる試料にも適用することができる。例えば、本発明に係るリポタンパク質の分析方法は、血清試料と比較して１／１０００程度のコレステロールを含む低濃度サンプルやその他の特殊試料についても適用することができる。具体的に、試料としては、例えば、トランスジェニックマウス等の実験用小動物から採取した試料、イムノアフィニティークロマトグラフィーで分離したリポタンパク質画分を含む試料、脳脊髄液、ＨｅｐＧ２細胞やＷＨＨＬウサギ幹細胞等の培地上清等を挙げることができる。
【００７６】
【発明の効果】
以上詳細に説明したように、本発明に係る血清リポタンパク質の分析方法及び分析プログラムによれば、血清試料に含まれる複数のリポタンパク質が混合ピークとして現れたクロマトグラムから、個々のリポタンパク質に含まれる成分を高精度に定量できる。
【図面の簡単な説明】
【図１】血清リポタンパク質に含まれるＴＣ及びＴＧを定量するリポタンパク質分析装置のシステム構成図である。
【図２】（Ａ）は東ソー社製の商品名「ＴＳＫｇｅｌ  ＬｉｐｏｐｒｏｐａｋＸＬ」を用いたときのクロマトグラムであり、（Ｂ）はファルマシア社製の商品名「Ｓｕｐｅｒｏｓｅ  ６ＨＲ」を用いたときのクロマトグラムである。
【図３】（ａ）、（ｃ）及び（ｅ）はそれぞれサンプル＃０１、＃０２及び＃０３のクロマトグラムであり、（ｂ）、（ｄ）及び（ｆ）はそれぞれ（ａ）、（ｃ）及び（ｅ）におけるＴＧを示すクロマトグラムを拡大したクロマトグラムである。
【図４】ＴＳＫｇｅｌ  ＬｉｐｏｐｒｏｐａｋＸＬカラムを用いた分析結果と、Ｓｕｐｅｒｏｓｅ  ６ＨＲカラムを用いた分析結果との相関性を示す特性図である。
【図５】遊離グリセロールを除去する操作を行わずに酵素法によりＴＧを定量した結果と、その結果から本分析プログラムによって特定した遊離グリセロール量を差し引いた修正値とを示す特性図である。
【符号の説明】
１…カラム、２…スプリッター、３…第１流路、４…第２流路、９…システムコントローラー、１０…演算装置
【図１】
2004264051.tif 000004
【図２】
2004264051.tif 000005
【図３】
2004264051.tif 000006
【図４】
2004264051.tif 000007
【図５】
2004264051.tif 000008